【事件の表示】
　特願２０１４−２５３９９２「変圧器」拒絶査定不服審判事件〔平成２８年　６月２３日出願公開、特開２０１６−１１５８３６〕について、次のとおり審決する。
【結　論】
　本件審判の請求は、成り立たない。
【理　由】
１．手続の経緯
　本願は、平成２６年１２月１６日の出願であって、平成２８年２月２６日付け拒絶理由通知に対する応答時、同年４月２０日付けで手続補正がなされたが、同年６月１３日付けで拒絶査定がなされ、これに対して、同年８月１０日付けで拒絶査定不服審判の請求及び手続補正がなされた。
　その後、当審の平成２９年５月１７日付け拒絶理由通知に対し、請求人からは何らの応答もなされなかったものである。
　
２．本願特許請求の範囲について
　本願の特許請求の範囲は、平成２８年８月１０日付け手続補正書により補正された特許請求の範囲に記載された、次のとおりのものである。
「【請求項１】
　略Ｕ字型を呈する２個の鉄心半部が接合部において付き合わされることにより構成され、中心に窓部を有し、略矩形を呈する巻鉄心と、
　前記巻鉄心に組み付けられた複数の巻線と、を有し、
　前記２個の鉄心半部が付き合わされる接合部において、厚さ０．１ｍｍのアラミド紙により構成される絶縁シートが挟在しており、
　商用周波数を超える高周波領域において運転された場合に前記巻鉄心の温度上昇曲線が飽和する傾向を有する変圧器。
　【請求項２】
　さらに、前記巻鉄心の周囲に巻きつけられた締付けバンドが設けられており、
　前記巻鉄心の熱膨張係数は、前記締付けバンドの熱膨張係数よりも大きい請求項１に記載の変圧器。
　【請求項３】
　さらに、前記巻鉄心の周囲に巻きつけられた締付けバンドが設けられており、
　前記巻鉄心の熱膨張係数は、前記締付けバンドの熱膨張係数よりも小さい請求項１に記載の変圧器。
　【請求項４】
　前記巻鉄心は、アモルファス薄帯により形成されている請求項１に記載の変圧器。
　【請求項５】
　前記高周波領域は、５００Ｈｚ〜１０ｋＨｚである請求項１に記載の変圧器。
　【請求項６】
　前記高周波領域は、１ｋＨｚ〜１０ｋＨｚである請求項１に記載の変圧器。」
　
３．当審の拒絶の理由
　当審において平成２９年５月１７日付けで通知した拒絶理由の概要は、次のとおりである。
３−１．理由１（特許法第２９条第２項）
　本件出願の請求項１、４に係る発明は、その出願前日本国内または外国において頒布された下記の引用文献１に記載された発明に基いて、また、本件出願の請求項２、３、５、６に係る発明は、その出願前日本国内または外国において頒布された下記の引用文献１、２に記載された発明に基いて、その出願前にその発明の属する技術の分野における通常の知識を有する者が容易に発明をすることができたものであるから、特許法第２９条第２項の規定により特許を受けることができない。
　　　　　　　　　引　用　文　献　等　一　覧  
 　１．特開２０００−１６４４２８号公報 
 　２．特開平７−２４０３２２号公報 
３−２．理由２（特許法第３６条第６項第２号違反）
　本件出願は、特許請求の範囲の記載が下記の点で不備のため、特許法第３６条第６項第２号に規定する要件を満たしていない。
　　　　　　　　　　　　　　　記
（１）請求項１において、「・・接合部において、厚さ０．１ｍｍのアラミド紙により構成される絶縁シートが挟在しており、商用周波数を超える高周波領域において運転された場合に前記巻鉄心の温度上昇曲線が飽和する傾向を有する・・」とあるが、 
 (a)発明の詳細な説明を参照しても、絶縁シートとして「厚さ０．１ｍｍのアラミド紙」を用いたことと、「商用周波数を超える高周波領域において運転された場合に前記巻鉄心の温度上昇曲線が飽和する傾向を有する」こととの技術的関係が明らかでない
（下記＜＜注＞＞を参照）
 (b)また、上記(a)にも関連して、そもそも「商用周波数を超える高周波領域において運転された場合に前記巻鉄心の温度上昇曲線が飽和する傾向を有する」と特定することの技術的意味が明らかでない〔図３に示される、接合部に絶縁シートが挟在していないものであっても、十分に時間が経てば（図３の２５０minを十分に超えた時間）、いずれは温度上昇曲線は飽和するものといえ、このようなものとの何ら違いがないと解される点に注意されたい。〕。 
 (c)巻鉄心の温度上昇曲線の傾きがどの程度であれば、「飽和する
傾向を有する
　これらの点において請求項１に係る発明及び請求項１を引用する請求項２〜６に係る発明は技術的にみて明確なものでない。 
  
＜＜注＞＞ 
　上記（１）(a)に関して、 
　・発明の詳細な説明によれば、どのような材料の絶縁シートであっても、また、絶縁シートがどのような厚さであっても、「商用周波数を超える高周波領域において運転された場合に前記巻鉄心の温度上昇曲線が飽和する傾向を有する」となり得るものと解される。
もし、絶縁シートとして「厚さ０．１ｍｍのアラミド紙」を用いたことによってはじめて「商用周波数を超える高周波領域において運転された場合に前記巻鉄心の温度上昇曲線が飽和する傾向を有する」というのであれば、意見書においてその根拠を、アラミド紙とは異なる材料の絶縁シートを用いた場合や、厚さの異なるアラミド紙を用いた場合の比較データを示すなどして詳細に説明をされたい
　・さらに付言しておくと、図４に示されるものは、接合部に絶縁シートが挟在しているものであることは理解できるものの、かかる絶縁シートが「アラミド紙」であり、しかもその厚さが「０．１ｍｍ」であることまでは確認できない点にも注意されたい。 
４．当審の判断
４−１．理由１（特許法第２９条第２項）について
（１）引用例
　当審の拒絶の理由に引用された特開２０００−１６４４２８号公報（以下、「引用例」という。）には、「磁心」について、図面とともに以下の各記載がある（なお、下線は当審で付与した。）。
　ア．「【請求項１】  
磁路に磁気的なギャップを設け、該ギャップ部にスペーサを挿入してなるギャップ付き磁心において、前記スペーサとしてアラミド紙を用いたことを特徴とする磁心
　　　　　　　　・・・・・（中　略）・・・・・
【請求項４】  請求項１〜３のいずれかに記載された
前記磁心に巻線を施して構成されることを特徴とするトランス
　
　イ．「【０００１】
【発明の属する技術分野】
本発明は、ギャップ付き磁心に関し、又それを用いたトランス
に関する
　ウ．「【０００２】
【従来の技術】従来より、
磁心の磁路にギャップを設け、ギャップにスペーサを配置して磁心と接着したギャップ付磁心が用いられている。この従来例を図１に示す。この従来例は、２つのＵ型磁心２１の突き合わせ面にスペーサ２２を配置
したものである
　
　エ．「【００１２】以下実施例について詳細に説明する。尚、この
実施例の磁心の外観は図１と同一である
【００１３】
磁心として
巻磁心を用いた
【００１４】この磁心に対し、スペーサ及び接着剤を変えて騒音をレベルを評価した。この結果を表１に示す。表１において、
アラミド紙には、デュポン製ノーメックスを用い、厚さ０．５ｍｍとした
　
　・上記引用例に記載の「磁心」は、上記「ア．」の【請求項１】の記載事項によれば、磁路に磁気的なギャップを設け、該ギャップ部にスペーサを挿入してなるギャップ付き磁心において、前記スペーサとしてアラミド紙を用いた磁心に関するものである。
　・上記「ウ．」、「エ．」の段落【００１２】〜【００１３】の記載事項、及び図１によれば、当該磁心（ギャップ付き磁心）は、具体的には、２つのＵ型磁心２１を突き合わせることにより構成された巻磁心である。
　・上記「エ．」の段落【００１４】の記載事項によれば、スペーサ２２として用いられるアラミド紙は、厚さ０．５ｍｍである。
　・そして、上記「ア．」の【請求項４】、「イ．」の記載事項によれば、当該磁心（ギャップ付き磁心）に巻線を施すことによってトランスが構成されてなるものである。
　
　したがって、当該磁心（ギャップ付き磁心）を用いたトランスに着目し、上記記載事項及び図面を総合勘案すると、引用例には、次の発明（以下、「引用発明」という。）が記載されている。
「２つのＵ型磁心を突き合わせることにより構成された巻磁心と、 
　前記巻磁心に施された巻線と、を有し、 
　前記２つのＵ型磁心の突き合わせ面に、厚さ０．５ｍｍのアラミド紙よりなるスペーサが配置されてなる、トランス。」
（２）対比
　そこで、本願請求項１に係る発明（以下、「本願発明」という。）と引用発明とを対比すると、
　ア．引用発明における「２つのＵ型磁心を突き合わせることにより構成された巻磁心と」によれば、
　引用発明における、２つの「Ｕ型磁心」、「巻磁心」は、それぞれ本願発明でいう、略Ｕ字型を呈する２個の「鉄心半部」、「巻鉄心」に相当し、
　引用発明における「巻磁心」にあっても、２つのＵ型磁心を突き合わせることにより構成されるのであるから、当然、接合部を有し、また、中心に窓部を有し、全体として略矩形を呈するといえるものである。
　したがって、本願発明と引用発明とは、「略Ｕ字型を呈する２個の鉄心半部が接合部において付き合わされることにより構成され、中心に窓部を有し、略矩形を呈する巻鉄心と」を有するものである点で一致する。
　イ．引用発明における「前記巻磁心に施された巻線と」によれば、
　引用発明における「巻線」は、本願発明における「巻線」に相当し、
　引用発明は「トランス」に係るものであるから、当然、「複数」の巻線を有するものである。
　したがって、本願発明と引用発明とは、「前記巻鉄心に組み付けられた複数の巻線と」を有するものである点で一致する。
　
　ウ．引用発明における「前記２つのＵ型磁心の突き合わせ面に、厚さ０．５ｍｍのアラミド紙よりなるスペーサが配置されてなる・・」によれば、
 (a)引用発明における「アラミド紙よりなるスペーサ」は、本願発明でいう「アラミド紙により構成される絶縁シート」に相当し、
　本願発明と引用発明とは、「前記２個の鉄心半部が付き合わされる接合部において、所定の厚さのアラミド紙により構成される絶縁シートが挟在」している点で共通するといえる。
　ただし、アラミド紙の所定の厚さについて、本願発明では、「０．１ｍｍ」と特定するのに対し、引用発明では、０．５ｍｍである点で相違している。
 (b)そして、本願明細書の段落【００１４】〜【００１７】、及び図３、図４には、接合部に「絶縁シート」を挟在させると、鉄心の温度上昇曲線が飽和する傾向を有する旨説明されていることや、段落【００３１】には「絶縁シート１６としては、アラミド紙を例示して説明したが、これに限らず、例えばＰＥＴフィルムなど、他の絶縁材料を用いてもよい。」と記載されていることからすれば、引用発明にあっても、２つのＵ型磁心の突き合わせ面にスペーサとしてアラミド紙からなる「絶縁シート」が挟在していることから、当然、本願発明と同様、「商用周波数を超える高周波領域において運転された場合に前記巻鉄心の温度上昇曲線が飽和する傾向を有する」ものであるということができる〔なお付言しておくと、「理由２」の（１）(b)でも指摘（上記「３−２．」を参照）したように、絶縁シートを挟在していない場合であっても、十分に時間が経てば、温度上昇曲線は飽和する温度の程度により異なるとしてもいずれは飽和するものと解される。〕。
　エ．そして、引用発明における「トランス」は、本願発明でいう「変圧器」に相当するものである。
　
　よって、本願発明と引用発明とは、
「略Ｕ字型を呈する２個の鉄心半部が接合部において付き合わされることにより構成され、中心に窓部を有し、略矩形を呈する巻鉄心と、
　前記巻鉄心に組み付けられた複数の巻線と、を有し、
　前記２個の鉄心半部が付き合わされる接合部において、所定の厚さのアラミド紙により構成される絶縁シートが挟在しており、
　商用周波数を超える高周波領域において運転された場合に前記巻鉄心の温度上昇曲線が飽和する傾向を有する変圧器。」
である点で一致し、次の点で相違する。
［相違点］
　アラミド紙の所定の厚さについて、本願発明では、「０．１ｍｍ」と特定するのに対し、引用発明では、０．５ｍｍである点。
（３）判断
　上記相違点について検討する。
　スペーサであるアラミド紙の厚さについて、引用発明においては０．５ｍｍとした実施例のみが記載されているが、かかる厚みは具体例の一つにすぎず、トランスとして所望する磁気特性等を考慮して適宜変更（選択）し得るものであるといえ、引用発明において、０．５ｍｍに代えて例えば０．１ｍｍとすることも当業者であれば適宜なし得ることである。なお、本願発明にあっても、本願明細書の段落【００１２】に「例えば厚さ０．１ｍｍ」のアラミド紙を用いることができる旨が単に記載されているのみであって、図３及び図４で説明された効果を参照しても、厚さ「０．１ｍｍ」に特定したことに格別の技術的意味（意義）を見出すことはできない。 
 　 
　したがって、本願発明は、引用例に記載された発明に基づいて当業者が容易に発明をすることができたものである。
４−２．理由２（特許法第３６条第６項第２号違反）について
　上記「３−２．」の（１）(a)〜(c)のとおりの記載不備に関する指摘に対して、請求人は特許請求の範囲について何ら補正することなく、また、期間を指定して意見書を提出する機会を与えたが提出されず、何ら反論もなされていない。
　よって依然として、上記（１）(a)〜(c)の指摘事項に関する記載不備は解消しておらず、請求項１に係る発明及び請求項１を引用する請求項２〜６に係る発明は明確なものでない。
　
　したがって、本件出願は、特許請求の範囲の記載が特許法第３６条第６項第２号に規定する要件を満たしていない。
５．むすび
　以上のとおり、本願の請求項１に係る発明は、特許法２９条第２項の規定により特許を受けることができない。
　また、本件出願は、特許請求の範囲の記載が特許法第３６条第６項第２号に規定する要件を満たしていない。
　したがって、本願は、拒絶すべきものである。
　よって、結論のとおり審決する。